(57)【要約】【課題】コネクタの低背化を図ると共に、挿抜時、コンタクトの沈み込みや、浮き上がりの生じない回路基板間接続用コネクタ構造、及び一方がワイヤに連なり、他方が回路基板面に装着された場合のコネクタ構造を提供する。【解決手段】コネクタを嵌合した際、リセプタクルコンタクト６が弾性変位してリセプタクルコンタクト６の先端部に形成された屈曲片６２ａ具わる掛かり片６２ｂがリセプタクルハウジング５に設けられた台座５６の上段面５６ａに掛かるようにしたものであって、台座５６の上段面５６ａに屈曲片６２ａの掛かり片６２ｂが掛かることでリセプタクルコンタクト６の嵌合方向の沈み込みが抑制されるものである。更に台座５６は、接触片６２全体を裏面から支持する場合には、挿入時リセプタクルコンタクト６の沈み込みを抑制するだけでなく、引抜時リセプタクルコンタクト６の浮き上がりをも抑制するものである。【選択図】  図１
2009238678.tif 000002
【特許請求の範囲】
【請求項１】
回路基板に実装された第１コネクタと、この第１コネクタに嵌合する第２コネクタとからなるコネクタ構造において、
前記第１コネクタは、合成樹脂からなるハウジングと、このハウジングに固定される金属板からなるコンタクトとを具え、
このコンタクトは、前記ハウジングに固定される固定部と、
この固定部の一端から屈曲して連なる接続部と、
この固定部の他端から湾曲して連なる、略コの字状の接触部とを具え、
この接触部の先端には、頂点が前記略コの字状の内側に向かう屈曲部を形成し、
前記ハウジングは、前記コンタクトが前記ハウジングに固定された際、前記接触部の対応するコンタクトに対向する接触片に、間隔を明けて並置するように形成された台座を具え、
この台座は、前記第１コネクタと、前記第２コネクタとが嵌合した際、前記接触片が弾性変位して前記屈曲部の先端が係止することを特徴とするコネクタ構造。
【請求項２】
前記台座は、前記接触片全体をカバーする大きさである請求項１記載のコネクタ構造。
【発明の詳細な説明】
【技術分野】
【０００１】
本発明は、対向する回路基板面に装着されて、回路基板面に描かれた配線パターン間を電気的に接続する回路基板間接続用コネクタ構造、及び一方がワイヤに連なり、他方が回路基板面に装着された場合のコネクタ構造に関するものである。
【背景技術】
【０００２】
パーソナルコンピュータや携帯電話等の携帯機器に使用される回路基板間接続用コネクタは、携帯機器の小型化に伴って低背化が進んでいる。このような低背化は、一般にコネクタの接続嵌合長（有効嵌合長）を短くすることから、近時、低背化を図りつつ接続嵌合長の割合を大きくするためのコネクタ構造に関する技術報告がなされている。
【０００３】
その中の特許文献１記載の技術によれば、コネクタの嵌合の際ソケットコンタクトと、プラグコンタクトとの嵌合方向の重なり合う部分をなくすと共に、嵌合方向のハウジングのモールド部分をなくすことによって、回路基板間接続用コネクタの低背化と、コンタクトの有効嵌合長割合の増大化を達成している。
【特許文献１】特開２００７−３２８９４６
【発明の開示】
【発明が解決しようとする課題】
【０００４】
しかし、一般的にプラグをソケットに挿入する際には、プラグの接触片は、ソケットの接触片をばね弾性方向（水平方向）に押しつつ、接触面に作用した摩擦力でソケットの接触片を挿入方向に押し下げるような力を働かせ、一方引抜く際には、ソケットの接触片を浮き上がらせるような力を働かせている。
【０００５】
このような、一対のコネクタのコンタクト間の挿抜時に働く力を特許文献１記載のコネクタ構造に仮想した場合に、挿入時ソケットコンタクトは、摩擦力で押し下げられその回路基板面に対向する湾曲部の底辺部分を回路基板表面に接触させるおそれを有し、また引抜時ソケットコンタクトは、プラグコンタクトに引き摺られて浮き上げられるおそれを有していることが分かる。
【０００６】
このような、回路基板表面との接触は、回路基板にパターン禁止エリアの設定を要するものでパターン設計に制約を課すこととなる。このような機器の小型化を目指す中で狭くなった回路基板表面にパターン禁止エリアの設定を強いることは、技術の進む方向に逆行するものである。また、ソケットコンタクトの浮き上がりは、本来の接続状態を確保できなくなることや、ソケットコンタクトの抜けが生じることに繋がるものである。
【０００７】
本発明は、懸る問題点に鑑みてなされたもので、コネクタの低背化を図ると共に、挿抜時、コンタクトの沈み込みや、浮き上がりの生じない回路基板間接続用コネクタ構造、及び一方がワイヤに連なり、他方が回路基板面に装着された場合のコネクタ構造を提供することを目的とするものである。
【課題を解決するための手段】
【０００８】
本発明は、（１）回路基板に実装された第１コネクタと、この第１コネクタに嵌合する第２コネクタとからなるコネクタ構造において、前記第１コネクタは、合成樹脂からなるハウジングと、このハウジングに固定される金属板からなるコンタクトとを具え、このコンタクトは、前記ハウジングに固定される固定部と、この固定部の一端から屈曲して連なる接続部と、この固定部の他端から湾曲して連なる、略コの字状の接触部とを具え、この接触部の先端には、頂点が前記略コの字状の内側に向かう屈曲部を形成し、前記ハウジングは、前記コンタクトが前記ハウジングに固定された際、前記接触部の対応するコンタクトに対向する接触片に、間隔を明けて並置するように形成された台座を具え、この台座は、前記第１コネクタと、前記第２コネクタとが嵌合した際、前記接触部が弾性変位して前記屈曲部の先端が係止することを特徴とするコネクタ構造である。更に台座の大きさが、（２）前記台座は、前記接触片全体を支持する大きさである（１）記載のコネクタ構造である。
【０００９】
このように本発明（１）は、コネクタを嵌合した際、コンタクトが弾性変位してコンタクトの先端部に形成された屈曲部の先端がハウジングに設けられた台座に掛かるようにしたものであって、台座に屈曲部の先端が掛かることでコンタクトの嵌合方向の沈み込みが抑制されるものである。
【００１０】
ここで、屈曲とは、９０度前後の折り曲げを想定してよく、湾曲とは、１８０度前後の曲げ戻しを想定してよい。また、台座は、形を限定するものではなく、矩形状、円形状であってよい。更に台座は、大きさを限定するものではなく、屈曲部の先端が掛かるに足るだけの大きさであってよいし、接触片全体を支持するような大きさであってよい。また、台座は、一体的にまとまって存在していてもよく、島状に複数個が分離して存在していてもよい。
【００１１】
また、本発明（２）は、台座の大きさを特定するもので、接触片全体を支持する大きさである。接触片全体を支持するとは、接触片の嵌合方向に亘る全長に対応した大きさと言う意味であり、接触片の嵌合方向に亘る全長に等しい大きさに限定するものではない。台座は接触片全体を支持するので、挿入時コンタクトの沈み込みを抑制するだけでなく、引抜時コンタクトの浮き上がりを抑制するものである。
【発明の効果】
【００１２】
本発明のコネクタ構造は、低背化によっても、嵌合時コンタクトの沈み込みが生じず、引抜時コンタクトの浮き上がりが生じることはない。また、台座によって有効嵌合長は管理されるので実質的有効嵌合長を大きく取れる。更に、嵌合時コンタクトの沈み込みがないのでパターン禁止エリアの制限が生じない。
【発明を実施するための最良の形態】
【００１３】
本発明の実施の形態について図面を参照して説明する。図１は、本発明の実施の形態による回路基板に装着されたプラグコネクタと、リセプタクルコネクタとが嵌合した状態の外観斜視図である。なお、リセプタクルコンタクトの回路基板は、図を隠すため省略する。図２は、図１の状態からプラグコネクタとリセプタクルコネクタとの嵌合を解いた状態の外観斜視図である。図３は、図２の状態のプラグコネクタと、リセプタクルコネクタとを１８０度反転させた状態の外観斜視図である。図４は、本発明の実施の形態によるプラグコンタクトの外観斜視図である。図５は、同じくリセプタクルコンタクトの外観斜視図である。図６は、同じくプラグコンタクトと、リセプタクルコンタクトとの嵌合状態の外観斜視図である。なお、説明中の方向は図面中の矢印の方向指示に従う。
【００１４】
＜プラグコネクタ＞
プラグコネクタ１と、リセプタクルコネクタ４とは、それぞれ回路基板Ｐ１、Ｐ２に半田実装されていて、嵌合することで、回路基板Ｐ１、Ｐ２の配線間に電気的接続状態を生じさせる。プラグコネクタ１は、絶縁性の合成樹脂から成るプラグハウジング２と、プラグハウジング２の所定の位置に固定される平板状金属の加工から成るプラグコンタクト３とを具える。同じく、リセプタクルコネクタ４は、絶縁性の合成樹脂から成るリセプタクルハウジング５と、リセプタクルハウジング５の所定の位置に固定される平板状金属の加工から成るリセプタクルコンタクト６とを具える。嵌合によって双方コンタクト３、６間が電気的機械的に連結することで、双方回路基板Ｐ１、Ｐ２間が電気的に接続される。
【００１５】
プラグハウジング２は、平面視矩形状で蓋のない箱体であり、底面には、底壁２０を具え、前後端面には、端壁２１、２２を具え、左右側面には、側壁２３、２４を具えて、内部に窪み状の凹部２５を形成する。凹部２５の中央には、前後方向に亘って台地状の凸部２６を形成する。前後端壁２１、２２、左右側壁２３、２４及び中央凸部２６の高さはほぼ同じである。
【００１６】
側壁２３、２４から底壁２０及び中央凸部２６に亘ってプラグコンタクト３が這う形状に沿うように、それぞれ側壁２３、２４には、プラグコンタクト３を固定するための溝２３ａ、２４ａを、底壁２０には、プラグコンタクト３をガイドするための底壁２０を貫通したスリット２０ａを、中央凸部２６には、プラグコンタクト３を固定するための溝２６ａ、２６ａを連続的に形成する。なお、本実施の形態では、プラグコンタクト３はプラグハウジング２に同時成形によって所定の位置に固定されている。
【００１７】
次に、図４及び図６を参照してプラグコンタクト３を説明する。プラグコンタクト３は、銅合金を基材とし表層に金めっきを施した平板状金属の打抜き加工及び曲げ加工によって得られる。プラグコンタクト３は、プラグハウジング２に固定される固定部３０と、固定部３０の一端から屈曲し、そこから立ち上がる接触部３１と、固定部３０の他端から屈曲して回路基板Ｐ１面に平行して外部へ伸びる接続部３３とを一体的に具える。
【００１８】
固定部３０は、同時成形によってプラグコンタクト３をプラグハウジング２の所定位置に固定するための部分であり、側壁２３、２４から凹部２５を経て凸部２６までの表面凹凸形状に沿うように形成されている。側壁２３、２４に沿う部分は、垂直方向（嵌合方向）に立設するストレート片３０ａと、ストレート片３０ａに連なる曲率１８０度の湾曲片３０ｂと、湾曲片３０ｂに連なる垂直平面のストレート片３０ｃとから成る略Ｕ字状片である。この略Ｕ字状の部分が側壁２３、２４に形成された凹状の溝２３ａ、２４ａに嵌り込むことで固定されるものである。凹部２５に沿う部分は、先のストレート片３０ｃに連なる曲率９０度の屈曲片３０ｄと、屈曲片３０ｄに連なる水平面のストレート片３０ｅと、ストレート片３０ｅに連なる曲率９０度で立ち上がる屈曲片３０ｆとから成る。ストレート片３０ｅが通る部分の底壁２０には、底壁２０を貫通するスリット２０ａが設けられている。凸部２６に沿う部分は、先の屈曲片３０ｆに連なる接触片３２の裏面側である。
【００１９】
接触部３１は、固定部３０の９０度屈曲した端から立ち上がる垂直平面の接触片３２と、接触片３２に連なる曲率９０度の屈曲片３１ａと、屈曲片３１ａに連なる水平面のストレート片３１ｂとから成る。接触片３２は、嵌合時、リセプタクルコンタクト６の対応するところに接触して電気的接続を担う部分であり、裏面側は、底壁２０に形成された凸部２６に固定されている。
【００２０】
接続部３３は、回路基板Ｐ１面に対して平行位置にあるストレート片３３ａと、ストレート片３３ａに連なる屈曲した屈曲片３３ｂとから成る。ストレート片３３ａは、回路基板Ｐ１の対応する図示しない接続端子に半田実装によって電気的に接続される部分である。プラグコンタクト３は、プラグハウジング２の前後方向に亘って対を成すように複数個配置されている。
【００２１】
＜リセプタクルコネクタ＞
次に、主に図３を参照してリセプタクルコネクタの説明をする。説明中の方向は図３の方向指示に従う。リセプタクルコネクタ４は、絶縁性の合成樹脂から成るリセプタクルハウジング５と、リセプタクルハウジング４の所定の位置に固定される平板状金属の加工から成るリセプタクルコンタクト６とを具える。嵌合によって双方コンタクト３、６間に電気的機械的接続状態が生じることで、双方回路基板Ｐ１、Ｐ２間に電気的接続がなされる。
【００２２】
リセプタクルコネクタ４は、平面視矩形状で蓋のない箱体であり、底面には、底壁５０を具え、前後端面には、端壁５１、５２を具え、左右側面には、側壁５３、５４を具えて、内部に窪み状の凹部５５を形成する。
【００２３】
側壁５３、５４には、リセプタクルコンタクト６を収容するためのスリット５３ａ、５４ａを、底壁５０には、リセプタクルコンタクト６をガイドするための底壁５０を貫通したスリット５０ａを連続的に形成する。なお、本実施の形態では、リセプタクルコンタクト６はリセプタクルハウジング５に圧入によって所定の位置に固定されている。
【００２４】
次に、図５及び図６を参照してリセプタクルコンタクト６を説明する。リセプタクルコンタクト６は、銅合金を基材とし表層に金めっきを施した平板状金属の打抜き加工及び曲げ加工によって得られる。リセプタクルコンタクト６は、リセプタクルハウジング５に固定される固定部６０と、固定部６０から嵌合位置方向に互いに湾内を向けて連続して配置された湾曲片６１ａ及び６１ｃを具えたばね弾性部６１と、固定部６０から反嵌合位置方向に回路基板Ｐ２面に対して平行に伸びる接続部６３とを一体的に具える。
【００２５】
固定部６０は、圧入によってリセプタクルコンタクト６をリセプタクルハウジング５に固定する部分であり、垂直に立設するストレート片６０ａと、ストレート片６０ａの両側断面から外向き凸状の突起６０ｂ、６０ｂ、同じく６０ｃ、６０ｃとを具える。固定部６０は、リセプタクルハウジング５の側壁５３、５４に具わるスリット５３ａ、５４ａに圧入されて突起６０ｂ、６０ｂ及び６０ｃ、６０ｃがスリット５３ａ、５４ａの両側面を画成するスリット壁５３ｂ、５４ｂの所定の位置に係止して固定される。
【００２６】
ばね弾性部６１は、嵌合時、弾性変位して先端に具える接触片６２で対応するプラグコンタクト３の接触片３２に弾接し、双方コンタクト３、６間の電気的接続を担う部分であり、固定部６０に連なる曲率１８０度の湾曲片６１ａと、湾曲片６１ａから垂直方向に立設するストレート片６１ｂと、ストレート片６１ｂに連なる曲率１８０度の湾曲片６１ｃと、湾曲片６１ｃに連なる傾きを持って垂直方向に立設した接触片６２とから成る。接触片６２に垂直方向（嵌合方向に直交する方向））の押圧力を受けた時、２つの湾曲片６１ａ及び６１ｃが縮むように弾性変形し、作用方向と反対方向に弾性力を生じさせる。更に、接触片６２の先端は、反嵌合位置方向に曲率半径を有する屈曲片６２ａを具え、屈曲片６２ａの先端は、鍵爪状の掛かり片６２ｂを形成している。掛かり片６２ｂは、屈曲片６２ａの終端に当たる切断面であり、嵌合時、リセプタクルハウジング５の所定の位置に係合する部分である。
【００２７】
接続部６３は、回路基板Ｐ２の対応するところに半田実装によって電気的接続を担う部分であり、回路基板Ｐ２面に対して平行位置に在るストレート片６３ａと、ストレート片６３ａに連なる屈曲片６３ｂとから成る。リセプタクルコンタクト６は、リセプタクルハウジング５の前後方向に亘って対を成すように複数個配置されている。
【００２８】
＜嵌合＞
次に、図７から図９を参照して嵌合時のコンタクト状態を説明する。図７は、本発明の実施形態によるリセプタクルハウジングの断面図であり、（ａ）は、リセプタクルハウジングのみの断面図であり、（ｂ）は、リセプタクルハウジングにリセプタクルコンタクトを組み込んだ状態の断面図である。図８は、同じく嵌合過程のプラグコンタクトと、リセプタクルコンタクトとの係り合い状態を示す断面図であり、（ａ）は、嵌合前、（ｂ）は、嵌合時、（ｃ）は、引抜き途中である。図９は、同じくプラグコネクタとリセプタクルコネクタとの嵌合状態の断面図である。
【００２９】
リセプタクルハウジング５は、幅方向の垂直中心面に対してほぼ対称構造である。底面には、底壁５０を具え、左右側面には、側壁５３、５４を具えて、中央に窪み状の凹部５５を形成する。側壁５３、５４には、リセプタクルコンタクト６を収容するためのスリット５３ａ、５４ａが垂直方向（嵌合方向）に貫通するようにして設けられ、このスリット５３ａ、５４ａを画成するスリット壁５３ｂ、５４ｂの壁面外方向でリセプタクルコンタクト６の固定部６０に形成された突起６０ｂ、６０ｂ及び６０ｃ、６０ｃと係合してリセプタクルコンタクト６を固定する。
【００３０】
また、スリット５３ａ、５４ａ内には、垂直方向（嵌合方向）に伸びた略矩形状の台座５６、５６が形成されている。台座５６、５６は、スリット５３ａ、５４ａの中央部にあり、スリット５３ａ、５４ａを画成するスリット壁５３ｂ、５４ｂに一体的に連なり、リセプタクルコンタクト６のバネ弾性部６１に抱き込まれるような状態で位置している。リセプタクルコネクタ４単体状態（嵌合状態でない状態）では、リセプタクルコンタクト６のバネ弾性部６１のストレート片６１ｂは、台座５６、５６の垂直方向（嵌合方向）の面とほぼ平行状態にある。このとき、リセプタクルコンタクト６は、固定部６０でリセプタクルハウジング５に固定されている他の部分は、接続部６３を除いて、リセプタクルハウジング５に干渉するものはなく、バネ弾性部６１は、水平方向（嵌合方向に直交する方向）に弾性変位が自由にとれる状態にあり、湾曲片６１ａで発生する水平方向（嵌合方向に直交する方向）の弾性力によって、ストレート片６１ｂは、台座５６の垂直面を画成する当接面５６ｃに当接する。
【００３１】
また、接触片６２は、水平方向（嵌合方向に直交する方向）の弾性変位が可能であって、この時の弾性力の発生源は、固定部６０から連なる湾曲片６１ａと、接触片６２の直前に形成される湾曲片６１ｃとの２箇所であり、本発明の実施の形態は、大きさに制限がある中で大きな嵌合保持力の発生を可能にしている。
【００３２】
次に、図８を参照して嵌合過程を順を追って説明する。（ａ）は嵌合前である。プラグコネクタ１の凹部２５、２５にリセプタクルコネクタ４の側壁５１、５２の凸形状が対応し、プラグコネクタ１の中央凸部２６が、リセプタクルコネクタ４の中央凹部５５に対応する。プラグコンタクト３の接触部３１は、中央凸部２６の側面及び下面に沿うようにして固定されている。つまり、接触片３２は側面に掛かり、屈曲片３１ａからストレート片３１ｂにかけては、下面に掛かる。ここで、リセプタクルコンタクト６の接触片６２の無負荷状態の位置は、接触片６２の先端にある屈曲片６２ａに形成された掛かり片６２ｂと、台座５６との最も接近したところの垂直面間に隙間を形成する位置にあると共に、一方屈曲片６２ａの天頂部分は、嵌合時プラグコンタクト３の接触片３２に干渉する位置にある。本実施の形態では、上述の隙間は０．０１から０．１ｍｍであり、好ましくは０．０１から０．０５ｍｍであり、より好ましくは０．０１から０．０３ｍｍである。隙間が大きすぎる場合には、接触片６２に大きな弾性変位を要し、隙間が小さすぎる場合には、接触片６２の弾性変位を必要量とれないおそれがある。一方、上述の干渉量は０．０５から０．３ｍｍであり、好ましくは０．０５から０．２ｍｍであり、より好ましくは０．０５から０．１ｍｍである。干渉量が大きすぎる場合には、嵌合時、接触片６２を変形させるおそれがあり、干渉量が小さすぎる場合には、電気的接続に必要なバネ弾接力が得られないおそれがある。
【００３３】
続いて、嵌合によって（ｂ）の状態になり、リセプタクルコンタクト６の屈曲片６２ａと、プラグコンタクト３の接触片３２とが所定の位置で接触する。このとき接触片３２は凸部２６の側壁で固定されているために可動できず、リセプタクルコンタクト６のバネ弾性部６１が変位することとなる。変位の方向は、２個具わる湾曲片６１ａ及び６１ｃが共に縮み変形する方向（水平方向）である。本実施の形態では、この変位量は０．０５から０．３ｍｍであり、好ましくは０．０５から０．２ｍｍであり、より好ましくは０．０５から０．１ｍｍである。変位量が大きすぎる場合には、大きな挿入力を要し、変位量が小さすぎる場合には、電気的接続に必要なバネ弾性力が得られないおそれがある。
【００３４】
この湾曲片６１ａ及び６１ｃの縮み変形によって接触片６２は、反嵌合位置方向に変位することとなり、変位が所定量を超えたところで、すなわち挿入が所定量進んだところで、屈曲片６２ａの先端に形成された鍵状の掛かり片６２ｂは、接触片６２の裏面側に位置する台座５６の上辺に具わる上段面５６ａに掛かることとなる。この挿入のとき、接触片６２には、挿入方向に直交する方向に押圧力と、両接触片３２及び６２面間の摩擦によって生じる垂直下向きの力が作用していて、挿入の間中リセプタクルコンタクト６を沈み込ませる力を働かせているのだが、上述したように、屈曲片６２ａに具わる掛かり片６２ｂと、台座５６の上段面５６ａとの係合によって、これに抗する力を発生させることでリセプタクルコンタクト６の沈み込みを防いでいる。本実施の形態では、この掛かり片６２ｂと台座５６の上段面５６ａとの掛かり量は、０．０１から０．２ｍｍであり、より好ましくは０．０５から０．２ｍｍであり、より好ましくは０．０５から０．１ｍｍである。掛かり量が大きすぎる場合には、大きな変位量を要し、掛かり量が小さすぎる場合には、掛かりの信頼性に欠けるおそれがある。すなわち、接触片６２の掛かり片６２ｂと、台座５６の上段面５６ａとの相対的な位置関係を調節することによって、挿入時の掛かり片６２ｂが上段面５６ａに掛かるタイミングを調節することができるのである。
【００３５】
引抜きにおいては（ｃ）の状態になり、上述したように押圧力と摩擦力との合力としてリセプタクルコンタクト６に垂直上向き（引抜き方向）の力を作用させて、引抜きの間中リセプタクルコンタクト６に浮き上がる力を働かせるのだが、台座５６の底辺に位置する下段面５６ｂがバネ弾性部６１のストレート片６１ｂに当接する位置に在ることで、リセプタクルコンタクト６の浮き上がりを防いでいる。すなわち、プラグコネクタ１を引抜く際、これに引き摺られて浮き上がるリセプタクルコンタクト６を台座５６の下段面５６ｂがそのストレート片６１ｂに当接して抗することで浮き上がりを抑制するものである。本実施の形態では、台座５６は、一体的に形成されているが、一体的に形成されていなくてもよい。つまり、上段面５６ａと下段面５６ｂとが不連続に離れて存在していてもよい。このように配置された場合にも上述した作用、効果を奏することができる
【００３６】
このように本発明の実施形態によれば、コンタクトに必要な弾性変位を妨げることなく、すなわち水平方向の変位の自由度を確保しつつ、嵌合方向（垂直方向）の変位を制限するようにスリット内に台座を設けることで、コネクタ構造の低背化を妨げることなく、コネクタの嵌合時のコンタクトの沈み込みや、コネクタの引抜時のコンタクトの浮き上がりを効果的に防止するものである。その結果、コンタクトの沈み込みが生じず、設計値に近い管理された有効嵌合長を確保することができるので、接続信頼性の高いコネクタ構造を提供できるものである。更に、コンタクトの沈み込みが生じず、コンタクトの沈み込みを想定して設けられることがあるパターン禁止エリアを無くすことができるので、回路基板面の大きさを有効に利用することができるものである。
【００３７】
なお、本発明は上記実施形態に限定されるものではなく、その他この発明の要旨を逸脱しない範囲で種々の態様で実施可能である。本実施形態では、回路基板間を接続するコネクタ構造に関するものであったが、本発明は、回路基板間接続用コネクタ構造に限られるものではなく、例えば、一方がワイヤに連なり、他方が回路基板面に装着された場合のコネクタ構造の場合にも適用され得るものである。この場合にも上述した作用、効果を奏することができる。
【図面の簡単な説明】
【００３８】
【図１】本発明の実施の形態による回路基板に装着されたプラグコネクタと、リセプタクルコネクタとが嵌合した状態の外観斜視図である。
【図２】図１の状態からプラグコネクタとリセプタクルコネクタとの嵌合を解いた状態の外観斜視図である。
【図３】図２の状態のプラグコネクタと、リセプタクルコネクタとを１８０度反転させた状態の外観斜視図である。
【図４】本発明の実施の形態によるプラグコンタクトの外観斜視図である。
【図５】同じくリセプタクルコンタクトの外観斜視図である。
【図６】同じくプラグコンタクトと、リセプタクルコンタクトとの嵌合状態の外観斜視図である。
【図７】同じくリセプタクルハウジングの断面図であり、（ａ）は、リセプタクルハウジングのみの断面図であり、（ｂ）は、リセプタクルハウジングにリセプタクルコンタクトを組み込んだ状態の断面図である。
【図８】同じく嵌合過程のプラグコンタクトと、リセプタクルコンタクトとの係り合い状態を示す断面図であり、（ａ）は、嵌合前、（ｂ）は、嵌合時、（ｃ）は、引抜き途中である。
【図９】同じくプラグコネクタとリセプタクルコネクタとの嵌合状態の断面図である。
【符号の説明】
【００３９】
１      プラグコネクタ
２      プラグハウジング
３      プラグコンタクト
４      リセプタクルコネクタ
５      リセプタクルハウジング
６      リセプタクルコンタクト
２０    底壁
２１、２２    端壁
２３、２４    側壁
２５    凹部
２６    凸部
３０    固定部
３１    接触部
３２    接触片
３３    接続部
５０    底壁
５１、５２    端壁
５３、５４    側壁
５５    凹部
５６    台座
５６ａ  上段面
５６ｂ  下段面
６０    固定部
６１    バネ弾性部
６２    接触片
６２ａ  屈曲片
６２ｂ  掛かり片
６３    接続部
【図１】
2009238678.tif 000003
【図２】
2009238678.tif 000004
【図３】
2009238678.tif 000005
【図４】
2009238678.tif 000006
【図５】
2009238678.tif 000007
【図６】
2009238678.tif 000008
【図７】
2009238678.tif 000009
【図８】
2009238678.tif 000010
【図９】
2009238678.tif 000011
【手続補正書】
【提出日】平成20年5月16日(2008.5.16)
【手続補正１】
【補正対象書類名】明細書
【補正対象項目名】０００４
【補正方法】変更
【補正の内容】
【０００４】
しかし、一般的にプラグコネクタをソケットコネクタに挿入する際には、プラグコンタクトの接触片は、ソケットコンタクトの接触片をばね弾性変位方向（水平方向）に押しつつ、接触面に作用した摩擦力でソケットコンタクトの接触片を挿入方向に押し下げるような力を働かせ、一方引抜く際には、ソケットコンタクトの接触片を浮き上がらせるような力を働かせている。
【手続補正２】
【補正対象書類名】明細書
【補正対象項目名】００１３
【補正方法】変更
【補正の内容】
【００１３】
本発明の実施の形態について図面を参照して説明する。図１は、本発明の実施の形態による回路基板に装着されたプラグコネクタと、リセプタクルコネクタとが嵌合した状態の外観斜視図である。なお、リセプタクルコンタクトの回路基板は、図を隠すため省略する。図２は、図１の状態からプラグコネクタとリセプタクルコネクタとの嵌合を解いた状態の外観斜視図である。図３は、図２の状態のプラグコネクタと、リセプタクルコネクタとを１８０度反転させた状態の外観斜視図である。図４は、本発明の実施の形態によるプラグコンタクトの外観斜視図である。図５は、同じくリセプタクルコンタクトの外観斜視図である。図６は、同じくプラグコンタクトと、リセプタクルコンタクトとの嵌合状態の外観斜視図である。なお、説明中の方向は図面中の矢印の方向指示に従う。なお、背景技術等で用いたソケットコネクタと、発明を実施するための最良の形態で用いるリセプタクルコネクタは同義であって、メス型コネクタを言う。
【手続補正３】
【補正対象書類名】明細書
【補正対象項目名】００３４
【補正方法】変更
【補正の内容】
【００３４】
この湾曲片６１ａ及び６１ｃの縮み変形によって接触片６２は、反嵌合位置方向に変位することとなり、変位が所定量を超えたところで、すなわち挿入が所定量進んだところで、屈曲片６２ａの先端に形成された鍵爪状の掛かり片６２ｂは、接触片６２の裏面側に位置する台座５６の上辺に具わる上段面５６ａに掛かることとなる。この挿入のとき、接触片６２には、挿入方向に直交する方向に押圧力と、両接触片３２及び６２面間の摩擦によって生じる垂直下向きの力が作用していて、挿入の間中リセプタクルコンタクト６を沈み込ませる力を働かせているのだが、上述したように、屈曲片６２ａに具わる掛かり片６２ｂと、台座５６の上段面５６ａとの係合によって、これに抗する力を発生させることでリセプタクルコンタクト６の沈み込みを防いでいる。本実施の形態では、この掛かり片６２ｂと台座５６の上段面５６ａとの掛かり量は、０．０１から０．２ｍｍであり、より好ましくは０．０５から０．２ｍｍであり、より好ましくは０．０５から０．１ｍｍである。掛かり量が大きすぎる場合には、大きな変位量を要し、掛かり量が小さすぎる場合には、掛かりの信頼性に欠けるおそれがある。すなわち、接触片６２の掛かり片６２ｂと、台座５６の上段面５６ａとの相対的な位置関係を調節することによって、挿入時の掛かり片６２ｂが上段面５６ａに掛かるタイミングを調節することができるのである。